(57)【特許請求の範囲】
【請求項１】
端子の第１のペアと、
端子の第２のペアと、
第１の期間の間、複数の選択可能な電圧の一つを、端子の前記第１のペアの第１の端子上に供給し、端子の前記第１のペアの第２の端子を接地電位に結合し、第２の期間の間、前記複数の選択可能な電圧の一つを、端子の前記第２のペアの第１の端子上に供給し、端子の前記第２のペアの第２の端子を接地電位に結合する制御回路と、
前記第１の期間の間、端子の前記第２のペアの前記端子の一つ上に与えられる第１の電圧を計測し、それから第１の計測値を生成し、前記第２の期間の間、端子の前記第１のペアの前記端子の一つ上に与えられる第２の電圧を計測し、それから第２の計測値を生成するアナログ／デジタル変換器（ＡＤＣ）であって、前記第１及び第２の計測値はタッチ・スクリーンの接触の点の場所の計測であり、前記ＡＤＣは、前記ＡＤＣの入力上の電圧に対応する出力計測を生成することができる変換可能な入力電圧範囲を有し、前記選択可能な電圧の一つ及び接地電位間の電圧の違いは、実質的に、前記変換可能な入力電圧範囲よりも小さい、ＡＤＣと、
を備える集積回路。
【請求項２】
前記集積回路は、電流が、前記第１の期間の間、前記制御回路から、前記第１のペアの第１の端子から前記集積回路の外へ、前記タッチ・スクリーンを通って、前記第１のペアの前記第２の端子を介して前記集積回路内に戻って流れるように抵抗タッチ・スクリーンに結合されるために適合される請求項１の集積回路。
【請求項３】
前記制御回路は、タッチ・スクリーン・コントロール情報（ＴＳＣＩ）を記憶し、複数の選択可能な電圧の一つは、前記第１の期間及び前記第２の期間の中に供給され、前記制御回路に記憶された前記ＴＳＣＩの値によって決定される請求項１の集積回路。
【請求項４】
前記第１及び第２の計測値は、キャリブレーションの目的のために用いられない請求項１の集積回路。
【請求項５】
前記ＡＤＣは、前記選択可能な電圧の一つよりも実質的に大きい電圧から電力供給される請求項１の集積回路。
【請求項６】
前記制御回路は、タッチ・スクリーン・コントロール情報（ＴＳＣＩ）を記憶し、前記ＴＳＣＩが、第１の値を有している場合、第１及び第２の期間中、前記制御回路は、第１の量の電流を、端子の前記第１のペアの前記第１の端子から供給し、それに対し、前記ＴＳＣＩが第２の値を有している場合、第１及び第２の期間中、前記制御回路は、第２の量の電流を、端子の前記第１のペアの前記第１の端子から供給する請求項１の集積回路。
【請求項７】
前記制御回路は、前記複数の選択可能な電圧の一つを出力するプログラム可能な電圧源を備える請求項１の集積回路。
【請求項８】
アナログ／デジタル変換器（ＡＤＣ）と、
制御回路と、
を備え、
前記ＡＤＣは、接触の点の場所の計測の期間の間、タッチ・スクリーンから受信した電圧を計測し、前記ＡＤＣの入力上の電圧に対応する出力計測を生成することができる変換可能な入力電圧範囲を有し、
前記制御回路は、前記接触の点の場所の計測の期間の間、前記タッチ・スクリーンに複数の選択可能な電圧の一つを供給し、前記ＡＤＣによって受信された前記電圧は、前記制御回路によって前記タッチ・スクリーンに供給された電流に起因し、前記選択可能な電圧の一つは、前記変換可能な入力電圧範囲よりも実質的に小さい
タッチ・スクリーンを制御するためのシステム。
【請求項９】
前記選択可能な電圧の第２の電圧は、前記変換可能な入力電圧範囲と実質的に同じ大きさである請求項８のシステム。
【請求項１０】
接触の点の場所の計測の期間の間、タッチ・スクリーンから受信された信号の大きさを計測するアナログ／デジタル変換器（ＡＤＣ）と、
制御回路と、
を備え、
前記制御回路は、前記接触の点の場所の計測の期間の間、異なる大きさの複数の選択可能な電流の一つを、前記タッチ・スクリーンに供給し、前記ＡＤＣによって受信された信号は、前記接触の点の場所の計測の期間の間、前記制御回路によって前記タッチ・スクリーンに供給される前記一つの電流に起因し、前記ＡＤＣは、前記ＡＤＣの入力上の電圧に対応する出力計測を生成することができる変換可能な入力電圧範囲を有し、前記タッチ・スクリーンは、第１の端子及び第２の端子を有し、前記選択された電流の一つは、前記接触の点の場所の計測の期間の間電圧が前記第１及び第２の端子間に与えられるように、前記タッチ・スクリーンの前記第１の端子内、及び前記タッチ・スクリーンの前記第２の端子外に流れ、前記第１及び第２の端子間に与えられる電圧は、実質的に、前記ＡＤＣの前記変換可能な入力電圧範囲よりも小さい
タッチ・スクリーンを制御するためのシステム。
【請求項１１】
（ａ）第１の電流を、第１の電圧が第１及び第２の端子間に与えられるように、タッチ・スクリーンの前記第１の端子から、前記タッチ・スクリーンを通って、前記タッチ・スクリーンの前記第２の端子の外へ駆動することと、
（ｂ）前記タッチ・スクリーンの第３の端子上に、（ａ）の間、与えられる前記第３の端子上の第２の電圧を第１のデジタル値に変換することと、
（ｃ）第２の電流を、実質的に前記第１の電圧よりも小さい第３の電圧が第１及び第２の端子間に与えられるように、前記タッチ・スクリーンの前記第１の端子から、前記タッチ・スクリーンを通って、前記タッチ・スクリーンの前記第２の端子の外へ駆動することと、
（ｄ）前記タッチ・スクリーンの前記第３の端子上に、（ｃ）の間、与えられる前記第３の端子上の第４の電圧を、第２のデジタル値に変換することであって、（ａ）及び（ｂ）は第１の接触の点の場所の計測の期間の間に起こり、（ｃ）及び（ｄ）は第２の接触の点の場所の計測の期間の間に起こる、第４の電圧を変換することと、
を備え、
（ｂ）及び（ｃ）の前記変換することは、アナログ／デジタル変換器（ＡＤＣ）によって実行され、前記ＡＤＣは、前記ＡＤＣに供給される電圧に対応する出力計測を生成することができる変換可能な入力電圧範囲を有し、前記変換可能な入力電圧範囲は、実質的に前記第３の電圧よりも大きい
方法。
【請求項１２】
（ｅ）前記第１の電圧を決定する第１のマルチ・ビット・デジタル値を受信することと、
（ｆ）前記第３の電圧を決定する第２のマルチ・ビット・デジタル値を受信することと、
を更に備え、
（ｅ）は、（ａ）よりも前に生じ、
（ｆ）は、（ｃ）よりも前に生じる
請求項１１の方法。
【請求項１３】
（ａ）における前記第１の電流は、電流源から供給された固定電流であり、前記第１の電圧は、前記第１の電流が、前記タッチ・スクリーンを通って、前記第１の端子から前記第２の端子まで流れた時に生じる電圧である請求項１１の方法。
【請求項１４】
（ａ）における前記第１の電圧は、接地電位が前記タッチ・スクリーンの前記第２の端子上に与えられる時、電圧レギュレータから前記タッチ・スクリーンの前記第１の端子上に供給された固定電圧であり、前記第１の電流は、前記第１の電圧が前記タッチ・スクリーンの前記第１の端子上に与えられる時、及び接地電位が前記タッチ・スクリーンの前記第２の端子上である時に生じる電流である請求項１１の方法。
【請求項１５】
（ａ）選択可能な電流を、タッチ・スクリーンの第１の端子から、前記タッチ・スクリーンを通って、前記タッチ・スクリーンの第２の端子の外へ駆動するために適合された制御回路を提供することと、
（ｂ）前記選択可能な電流が流れた時に、前記タッチ・スクリーンの第３の端子上に与えられる第２の電圧を計測するために適合されたアナログ／デジタル変換器（ＡＤＣ）を提供することと、
を備え、
第１の電圧は、接触の点の場所の計測の間に前記選択可能な電流が流れた時に、前記第１及び第２の端子間に与えられ、
前記ＡＤＣは、前記ＡＤＣの入力上の電圧に対応する出力計測を生成することができる変換可能な入力電圧範囲を有し、前記変換可能な入力電圧範囲は、接触の点の場所の計測の間実質的に前記第１の電圧よりも大きい
方法。
【請求項１６】
前記選択可能な電流は、異なる大きさの複数の電流の一つである請求項１５の方法。
【請求項１７】
端子の第１のペアと、
端子の第２のペアと、
第１の接触の点の場所の計測期間の間、前記第１のペアの第１の端子からタッチ・スクリーンを通り、前記第１のペアの第２の端子に戻る第１の選択可能な電流を駆動する手段、及び前記第１の選択可能な電流の流れの間、前記第２のペアの第１の端子上に与えられる第１の電圧を検出する手段と、
を備え、
前記手段は、また、第２の接触の点の場所の計測期間の間、第２の選択可能な電流を、前記第１のペアの第１の端子から前記タッチ・スクリーンを通り、前記第１のペアの第２の端子に戻る第２の選択可能な電流を駆動する手段、及び前記第２の選択可能な電流の流れの間、前記第２のペアの前記第１の端子上に与えられる第２の電圧を計測する手段であり、
前記第２の選択可能な電流は、実質的に前記第１の選択可能な電流よりも小さく、
前記手段は、前記第２の電圧の計測を行うために使用されるＡＤＣを含んでおり、
前記ＡＤＣは、前記第２の接触の点の場所の計測期間の間前記第２の電圧より大きい変換可能な入力電圧範囲を有する
回路。
【請求項１８】
前記手段は、また、マルチ・ビット・デジタル値を受信する手段、及び前記第２のペアの前記第１の端子上に与えられる電圧の計測の間、前記第１のペアの前記第１の端子の外に駆動される電流の大きさをセットするために、前記マルチ・ビット・デジタル値を用いる手段である請求項１７の回路。
【請求項１９】
前記第１の選択可能な電流は、前記第１のペアの前記第１の端子上に固定された電圧を供給することによって、駆動され、前記第１の選択可能な電流は、前記第１のペアの前記第２の端子が接地された時、前記固定電圧が前記第１のペアの前記第１の端子上に供給された時に生じる電流である請求項１７の回路。
【請求項２０】
前記選択可能な電流は、前記手段によって供給され、前記手段によって、前記第１のペアの前記第１の端子を通って出力される固定電流である請求項１７の回路。
【請求項２１】
タッチ・スクリーンの接触の点の場所の計測の間、タッチ・スクリーンを通って駆動されるために、駆動電流の大きさを変えることを実行する
コンピュータ読み取り可能な媒体上に記憶された命令のセットであって、
前記駆動電流の前記大きさは、第１のタッチ・スクリーンの接触の点の場所の計測が第１の駆動電流を用いて実行されるように、第２のタッチ・スクリーンの接触の点の場所の計測が第２の駆動電流を用いて実行されるように、変えられ、前記第１の駆動電流は、実質的に前記第２の駆動電流よりも大きく、
前記第２の駆動電流が流れた時に、前記タッチ・スクリーンの第１及び第２の端子間に電圧が与えられ、前記電圧はアナログ／デジタル変換器（ＡＤＣ）によって計測され、前記ＡＤＣは、前記ＡＤＣの入力上の電圧に対応する出力計測を生成することができる変換可能な入力電圧範囲を有し、前記第１及び第２の端子間に与えられる電圧は、実質的に、前記ＡＤＣの前記変換可能な入力電圧範囲よりも小さい
命令のセット。
【請求項２２】
携帯電話内の半導体メモリ内に記憶され、前記携帯電話のプロセッサによる前記命令の実行は、制御情報を前記携帯電話内のバスを介して制御回路と通信させ、前記制御回路は、前記駆動電流の前記大きさを制御する請求項２１の命令のセット。
【請求項２３】
前記バスを介して通信される前記制御情報は、前記制御回路を前記第１の駆動電流から前記第２の駆動電流へと駆動電流の前記大きさを変えさせる請求項２２の命令のセット。
【発明の詳細な説明】
【技術分野】
【０００１】
開示された実施形態は、タッチ・スクリーンに関する。
【背景技術】
【０００２】
例えば携帯電話のような多くの電子デバイスは、タッチ・スクリーン（時々、「タッチ・パネル」と呼ばれる）を有している。タッチ・スクリーンを使うことによって、電子デバイスのディスプレイ領域は、ディスプレイとして、そしてまた、ユーザーが、電子デバイスとやり取りをし、電子を制御することができるようにするためのユーザー入力インタフェースとしての役目を果たす。
【０００３】
図１（従来技術）は、タッチ・スクリーン１の一つのタイプの概念上のダイアグラムである。タッチ・スクリーン１は、透明抵抗材料（transparent resistive material）の第１のシート２、及び透明抵抗材料の第２のシート３を含む。これらの二つのシートは、ディスプレイが、タッチ・スクリーンを介してユーザーによって見られることができるように、電子デバイスのディスプレイの上に配置される。第１の導電性のバス・バー４は、シート２の上方左端に取り付けられ、第２の導電性のバス・バー５は、シート２の下方右端に取り付けられる。同様に、第３の導電性のバス・バー６は、シート３の上方右端に取り付けられ、第４の導電性のバス・バー７は、シート３の下方左端に取り付けられる。タッチ・スクリーンがタッチされていない場合、二つのシート２及び３は、互いにタッチしていない。タッチ・スクリーンは、接触の点で押された場合、タッチングの圧力は、二つのシート２及び３に、接触の点で、互いに電気的に接触させる。タッチ・スクリーンに結合された電子機器は、接触の点を表示するタッチ・スクリーン上のＸ座標及びＹ座標を決定する。
【０００４】
図２及び３（従来技術）は、どのようにタッチ・スクリーン及びタッチ・スクリーンに関連する電子機器が、接触の点のＸ座標及びＹ座標を決定するかを説明する概念上の概略図である。図２は、タッチ・スクリーンの断面側の図である。抵抗の上方の列は、上方シート２を表している。抵抗の下方の列は、下方シート３を表している。図２は、ユーザーがスクリーンをタッチせず、二つのシート２及び３が互いにタッチしていない場合のタッチ・スクリーンを説明する。まず、電圧がＹＰ＿ＵＬ及びＸＭ＿ＬＲの間に加えられる。シート３のＹＰ＿ＬＬ端は、オープンの状態にされ、高入力インピーダンス電圧センサ８は、シート３の電圧を検出するために用いられる。図２のこのケースでは、下方シート３は上方シート２からの電圧を受信せず、この状態は、センサ８によってセンスされる。続いて、電圧がＹＰ＿ＵＲ及びＹＭ＿ＬＬ間に加えられる。シート３のＸＭ＿ＬＲ端はオープンの状態にされ、高入力インピーダンス電圧センサ９は、上方シート２の電圧を検出するために用いられる。図２のこのケースでは、上方シート２は下方シート３からの電圧を受信せず、この状態は、センサ９によってセンスされる。最初及び次にセンサ８及び９によって検出された電圧から、タッチ・スクリーンの電子機器は、二つのシート２及び３が互いにタッチしていないということを決定する。
【０００５】
図３（従来技術）は、ユーザーがスクリーンをタッチしているときのタッチ・スクリーンを説明する。従って、二つのシート２及び３は、図示するように、接触の点で互いにタッチしている。まず、電圧がＹＰ＿ＵＬ及びＸＭ＿ＬＲ間に加えられる。シート３のＹＭ＿ＬＬ端は、オープン状態にされ、センサ８は、下方シート３上の電圧を検出するために用いられる。上方シート２は、分圧器のタップとなる接触の点によって抵抗分圧器を形成する。オープンしているＹＭ＿ＬＬに起因し、そして高入力センサであるセンサ８に起因し、下方シート３を通って電流が流れない。従って、センサ８によってセンスされる電圧は、分圧器のタップ上の電圧である。それゆえに、センスされた電圧の大きさは、ＹＰ＿ＵＬ及びＸＭ＿ＬＲ間のタッチの場所を表す。電圧は、デジタル値に変換され、このデジタル値は、接触の点のＸ座標であるとみなされ得る。それから、続いて、電圧が下方シート３のＹＰ＿ＵＲ及びＹＭ＿ＬＬ間に加えられる。上方シート２のＸＭ＿ＬＲ端は、オープン状態にされ、高入力インピーダンス電圧センサ９は、シート２上の電圧を検出するために用いられる。下方シート３は、分圧器のタップとなる接触の点によって分圧器を形成する。上方シート２を通って電流は流れ無い。そのため、センサ９でセンスされる電圧は、分圧器のタップ上の電圧であり、従って、ＹＰ＿ＵＲ及びＹＭ＿ＬＬ間のタッチの場所を表す。この電圧は、デジタル値に変換され、このデジタル値は、接触の点のＹ座標であるとみなされ得る。
【０００６】
図４は、従来のタッチ・スクリーン・コントロール集積回路１０の一つのタイプの簡略化したダイアグラムである。まず、制御部１１は、レギュレートされたアナログ供給電圧ＡＶＤＤが端子１４上に供給され、端子１５が接地されるようにスイッチ１２及び１３に閉じさせる。従って、電圧ＡＶＤＤは、シート２の両端に供給される。アナログ・マルチプレクサ１６は、端子１７上の電圧がアナログ／デジタル変換器（ＡＤＣ）１８の入力上に供給されるように、制御される。ＡＤＣ１８は、端子１７上の電圧を、Ｘ座標として使用できるマルチ・ビット・デジタル値に変換する。次に、制御部１１は、電圧ＡＶＤＤが端子１７上に供給され、端子２１が接地されるように、スイッチ１９及び２０に閉じさせる。従って、電圧ＡＶＤＤは、シート３の両端に供給される。アナログ・マルチプレクサ１６は、端子１４上の電圧がＡＤＣ１８の入力上に供給されるように制御される。ＡＤＣ１８は、端子１７上の電圧をＹ座標として使用できるマルチ・ビット・デジタル値に変換する。端子２２及び２３間のバッテリ電圧ＶＢＡＴＴは、アナログ供給電圧ＡＶＤＤを生成するためにレギュレートされる。図２及び３の概念上のダイアグラムにおいて説明されたように二つのセンサ８及び９があるよりもむしろ、センサ８及び９の機能は、図４におけるマルチプレクサ１６及びＡＤＣ１８によって行われる。
【０００７】
タッチ・スクリーンは、接触の点の検出の精度の種々の量が要求される種々の状況で使用できる。例としては、大きな選択可能なアイコンがスクリーンに表示された場合などである。このケースでは、接触の点の検出は、携帯電話の電子機器が特定の大きなアイコンが押されたことを決定するために、非常に正確である必要はない。そのような状況で、ＡＤＣ１８は、バス２４及び抵抗２５を介して、より少数のビットのマルチ・ビット・デジタル値を出力する、より低い分解能のＡＤＣとして動作するように制御されることができる。しかしながら、スクリーンが、非常に小さなアイコンの選択を検出または、スクリーン上のユーザーの書き込み（ユーザーは、例えばスクリーン上に書くために先の細いペンを用い得る）を検出しなければならない場合、接触の点の検出は、より正確でなくてはならない。このケースでは、ＡＤＣ１８は、より多数のビットのマルチ・ビット・デジタル値を出力する、より高い分解能（resolution）ＡＤＣとして動作するために、制御されることができる。図４で示すようなタッチ・スクリーン・コントロール回路は、時々、携帯電話内のデジタル・ベースバンド集積回路内で具体化される。
【発明の概要】
【０００８】
タッチ・スクリーン上の接触の点の場所を決定するために、Ｘ−Ｙ座標の計測を取り込む間に、新規のタッチ・スクリーン・コントロール回路は、選択可能な複数の電圧の一つでタッチ・スクリーンを駆動する。一例において、タッチ・スクリーンから出力された電圧は、アナログ／デジタル変換器（ＡＤＣ）によってＸ座標及びＹ座標の計測値であるマルチ・ビット・デジタル値に変換される。ＡＤＣは、ＡＤＣ入力上の電圧に対応する出力計測を生成することができる変換可能な入力電圧範囲を有する。
【０００９】
単に低いタッチ・スクリーン検出分解能が要求された場合、タッチ・スクリーンを駆動する電圧は、実質的に、ＡＤＣの変換可能な入力電圧範囲よりも小さくされる。計測された電圧は、単にＡＤＣの変換可能な入力電圧範囲の一部上を変動することができる。しかし、単にＡＤＣ変換可能な入力電圧範囲の部分を用いることは、要求された低いタッチ・スクリーン検出分解能に起因し、適切である。そのような低いタッチ・スクリーン検出分解能状況において、減少された電圧でタッチ・スクリーンを駆動することは、有効に電力消費を減少する。
【００１０】
高いタッチ・スクリーン検出分解能が要求された場合、新規のタッチ・スクリーン・コントロール回路は、高い電圧である選択可能な電圧の一つでタッチ・スクリーンを駆動する。高いタッチ・スクリーン検出分解能が要求され得る状況の例は、ユーザーがスクリーン上に先の細いペンで書き込む状況、タッチ・スクリーンが一部のモバイル通信デバイスの電子機器が、ユーザーの手書きの解読をすることを試みる状況である。そのような状況では、高い選択可能な電圧の一つは、タッチ・スクリーンを駆動し、ＡＤＣの変換可能な入力電圧範囲のより多くまたは全ては、検出、及びタッチ・スクリーンから出力された電圧を計測値に変換するために使用でき、多くの電力が消費されるが、タッチ・スクリーン検出分解能の上昇が実現される。
【００１１】
それに対して、いくつかの実施形態において、新規のタッチ・スクリーン・コントロール回路は、複数の選択可能な固定された電圧の選択された一つでタッチ・スクリーンを駆動し、他の実施形態において、新規のタッチ・スクリーン・コントロール回路は、複数の選択可能な固定された電流の選択された一つでタッチ・スクリーンを駆動する。いくつかの実施形態において、ＡＤＣの分解能は、接触の点の計測の間、バスの中でプログラム可能であり、タッチ・スクリーンを駆動する電圧／電流である。新規のタッチ・スクリーン・コントロール回路は、取り込まれる特定の計測についての適切なタッチ・スクリーン検出分解能という結果になるので、最も低い電圧／電流でタッチ・スクリーンを駆動するために制御される。
【００１２】
前述は、要約であり、従って、必要に応じて、詳細の省略、一般化、簡略化を含み、その結果、当業者は、要約は、単に例示であり、任意の方法に限定されることを意味しないということを正しく理解するだろう。特許請求の範囲によって単に明らかにされたような、他の態様、発明の特徴、デバイスの利点及び／または、本明細書に記載の工程は、本明細書に示された、詳細に限定されない記載において明白になるだろう。
【図面の簡単な説明】
【００１３】
【図１】図１（従来技術）は、従来の抵抗タッチ・スクリーンの概念上のダイアグラムである。
【図２】図２（従来技術）は、「タッチされていない状態」における、従来の抵抗タッチ・スクリーンの断面の概念上のダイアグラムである。
【図３】図３（従来技術）は、「タッチ状態」における、従来の抵抗タッチ・スクリーンの断面の概念上のダイアグラムである。
【図４】図４（従来技術）は、従来のタッチ・スクリーン・コントロール回路のダイアグラムである。
【図５】図５は、一つの新規の態様に従ったモバイル通信デバイスのダイアグラムである。
【図６】図６は、図５のモバイル通信デバイスの簡略化されたブロック・ダイアグラムである。
【図７】図７は、図６の抵抗タッチ・スクリーンの概念上のダイアグラムである。
【図８】図８は、「タッチされていない状態」における、図６のタッチ・スクリーンの断面の概念上のダイアグラムである。
【図９】図９は、「タッチ状態」における、図６のタッチ・スクリーンの断面の概念上のダイアグラムである。
【図１０】図１０は、図６のタッチ・スクリーン・コントロール回路のブロック・ダイアグラムである。
【図１１】図１１は、図１０のタッチ・スクリーン・コントロール回路の複数の異なる動作モードを示すテーブルである。
【図１２Ａ】図１２Ａは、図１０の電力供給部の第１の例のブロック・ダイアグラムである。
【図１２Ｂ】図１２Ｂは、図１０の電力供給部の第２の例のブロック・ダイアグラムである。
【図１３】図１３は、一つの新規の態様に従った方法のフローチャートである。
【発明の詳細な説明】
【００１４】
図５は、抵抗タッチ・スクリーン１０１を備える電子デバイス１００の図である。タッチ・スクリーン１０１は、ディスプレイがタッチ・スクリーンを通って見えるように、デバイスのディスプレイ１０２上に配置される。図５の例において、電子デバイスは、携帯電話である。電子デバイス１００のユーザーは、指を使って、スクリーン上に見える複数の選択可能なアイコンの一つを選択できる。アイコン１０３は、一つのそのようなアイコンである。ユーザーの指が、アイコン１０３上に配置されたタッチ・スクリーンの部分を押した場合、電子デバイス１００内のタッチ・スクリーン・コントロール回路１１３は、押したことを検出し、タッチ・スクリーン上の接触の点のＸ座標及びＹ座標を示す情報を出力する。
【００１５】
図６は、図５の携帯電話１００の簡略化されたダイアグラムである。携帯電話１００は、（図示されていないいくつもの他の部品のうち）アンテナ１０４、二つの集積回路１０５及び１０６、及びタッチ・スクリーン１０１を備えている。ＬＣＤディスプレイ（図示しない）のようなディスプレイは、タッチ・スクリーン１０１の後ろに配置される。集積回路１０６は、「デジタル・ベースバンド集積回路」または「ベースバンド・プロセッサ集積回路」と呼ばれる。集積回路１０５は、ＲＦトランシーバ集積回路である。ＲＦトランシーバ集積回路１０５は、それが、受信器のみならず送信器も含んでいるので、「トランシーバ」と呼ばれる。携帯電話が受信している時、高周波数ＲＦ信号１０８は、アンテナ１０４上で受信される。信号１０８からの情報は、トランシーバ集積回路１０５内の受信チェーン（receive chain）を通過し、デジタル・ベースバンド集積回路１０６内のアナログ／デジタル変換器（ＡＤＣ）１０９によってデジタル化される。その結果得られたデジタル情報は、デジタル・ベースバンド集積回路１０６内のデジタル・プロセッサ１１０によって処理される。携帯電話が送信している場合、送信される情報は、デジタル・ベースバンド集積回路１０６内のデジタル／アナログ変換器１１１によって、アナログ形式に変換される。アナログ情報は、トランシーバ集積回路１０５内の送信チェーン（transmit chain）を通過し、電力増幅器によって増幅され、高周波数ＲＦ信号１１２としてアンテナ１０４から送信されるように、アンテナ１０４上に供給される。プロセッサ１１０は、バス１１６を介して、プロセッサ読み取り可能な媒体１１５内または上に記憶されたプロセッサ実行可能な命令１１４のセットをフェッチし、実行する。このケースにおいて、プロセッサ読み取り可能な媒体は、半導体メモリである。
【００１６】
図７は、タッチ・スクリーン１０１のより詳細なダイアグラムである。タッチ・スクリーン１０１は、本特許文章の従来技術で示した従来の抵抗タッチ・スクリーンである。タッチ・スクリーン１０１は、透明な抵抗材料の第１のシート１１７及び、透明な抵抗材料の第２のシート１１８を含む。これらの二つのシートは、ディスプレイ１０２がタッチ・スクリーンを通してユーザーによって見られることができるように、電子デバイスのディスプレイ１０２上に配置される。第１の導電性バス・バー１１９は、シート１１７の上方左端に取り付けられ、第２の導電性バス・バー１２０は、シート１１７の下方右端に取り付けられる。同様に、第３の導電性バス・バー１２１は、シート１１８の上方右端に取り付けられ、第４の導電性バス・バー１２２は、シート１１８の下方左端に取り付けられる。タッチ・スクリーンがタッチされていない場合、二つのシート１１７及び１１８は互いにタッチしない。タッチ・スクリーンが、接触の点で押された場合、タッチの圧力は、二つのシート１１７及び１１８に、接触の点で互いに電気的に接触させる。タッチ・スクリーンのバス・バーに結合された電子機器は、接触の点を表すタッチ・スクリーン上のＸ座標及びＹ座標を決定する。
【００１７】
図８及び９は、どのようにタッチ・スクリーン及びタッチ・スクリーンに関連する電子機器が、接触の点のＸ座標及びＹ座標を決定するかを説明する概念上の概略図である。図８は、タッチ・スクリーン１０１の断面側の図である。抵抗の上方の列は、上方シート１１７を表している。抵抗の下方の列は、下方シート１１８を表している。図８は、ユーザーがスクリーンをタッチせず、二つのシート１１７及び１１８が互いにタッチしていない場合のタッチ・スクリーンを説明する。まず、電圧がＹＰ＿ＵＬ及びＸＭ＿ＬＲの間に加えられる。シート１１８のＹＰ＿ＬＬ端は、オープン状態にされ、ＹＰ＿ＵＲで電圧が検出される。図８のこのケースでは、下方シート１１８は上方シート１１７からの電圧を受信せず、検出された電圧は、このタッチされていない状態の表示である。次に、電圧がＹＰ＿ＵＲ及びＹＭ＿ＬＬ間に加えられる。上方シート１１７のＸＭ＿ＬＲ端はオープン状態にされ、ＹＰ＿ＵＬで電圧が検出される。図８のケースの場合、上方シート１１７は、下方シート１１８から電圧を受信せず、検出された電圧は、このタッチしていない状態の表示である。最初及び次に検出された電圧から、タッチ・スクリーンの電子機器は、二つのシート１１７及び１１８が互いにタッチしていないということを決定する。
【００１８】
図９は、ユーザーがスクリーンをタッチしているときのタッチ・スクリーン１０１を説明する。従って、二つのシート１１７及び１１８は、図示するように、接触の点で互いにタッチしている。まず、電圧がＹＰ＿ＵＬ及びＸＭ＿ＬＲ間に加えられる。シート１１８のＹＭ＿ＬＬ端は、オープン状態にされ、ＹＰ＿ＵＲの電圧は、下方シート１１８上の電圧を検出するために用いられる。上方シート１１７は、分圧器のタップとなる接触の点によって抵抗分圧器を形成する。オープンしているＹＭ＿ＬＬに起因し、そして高入力インピーダンスを有する電圧を検出する回路に起因し、下方シート１１８を通って電流が流れない。従って、検出された電圧は、分圧器のタップ上の電圧である。それゆえに、センスされた電圧の大きさは、ＹＰ＿ＵＬ及びＸＭ＿ＬＲ間のタッチの場所を表す。電圧は、デジタル値に変換され、このデジタル値は、接触の点のＸ座標であるとみなされ得る。それから、続いて、電圧が下方シート１１８のＹＰ＿ＵＲ及びＹＭ＿ＬＬ間に加えられる。上方シート１１７のＸＭ＿ＬＲ端は、オープン状態にされ、ＹＰ＿ＵＬ上の電圧は、高入力インピーダンスを有する検出回路を用いて検出される。下方シート１１８は、分圧器のタップとなる接触の点によって分圧器を形成する。上方シート１１７を通って電流は流れ無い。そのため、ＹＰ＿ＵＬで検出される電圧は、分圧器のタップ上の電圧であり、従って、ＹＰ＿ＵＲ及びＹＭ＿ＬＬ間のタッチの場所を表す。この電圧は、デジタル値に変換され、このデジタル値は、接触の点のＹ座標であるとみなされ得る。
【００１９】
図１０は、図６のタッチ・スクリーン・コントロール回路１１３及びタッチ・スクリーン１０１の簡略化されたダイアグラムである。タッチ・スクリーン・コントロール回路１１３は、制御回路１２３及びアナログ／デジタル変換器１２４を備えている。タッチ・スクリーン・コントロール回路１１３及びＡＤＣ１２４は、バス１１６を介して図６のプロセッサ１１０に結合されている。タッチ・スクリーン・コントロール回路１１３は、端子１２５及び１２６の第１のペア、及び端子１２７及び１２８の第２のペアを介してタッチ・スクリーン１０１に結合される。制御回路１２３は、制御論理１２９、４つのスイッチ１３０〜１３３、電力供給部１３４、及びアナログ・マルチプレクサ１３５を備えている。４つのスイッチは、例えば、電界効果トランジスタ（ＦＥＴ）として実現され得る。アナログ・マルチプレクサ１３５は、例えば、電界効果トランジスタの伝送ゲートのマルチプレクサとして実現され得る。タッチ・スクリーン１０１は、４つの端子１３６〜１３９を有している。円形のシンボル１４０は、シート１１７及び１１８間の接触の点を表している。接触の点１４０は、例えば携帯電話の１００のユーザーの指がタッチ・スクリーン１０１を押す時に、確立される。タッチ・スクリーンがタッチされていない場合、各シート中の抵抗は、概して２００オーム〜２ｋオームの範囲内である。それは所定の個々のタッチ・スクリーンについて固定される。しかし、抵抗は、製造ばらつきに起因して、タッチ・スクリーンによって異なる。
【００２０】
一実施形態において、制御論理１２９は、線１４２を介して電力供給部１３４に、適切なマルチ・ビット・デジタル値（電圧セット値）を供給することで、ノード１４１上にレギュレートされた電圧をセットする。電力供給部１３４は、端子１４６及び１４７を介してバッテリに結合され、プログラム可能な電圧源として作動する。マルチ・ビット電圧セット値の値に依存し、ノード１４１上の電圧は、多くの選択可能な電圧（例えば、２．６ボルト、１．３ボルト、０．６５ボルト、０．１６２５ボルト）の選択されたひとつの電圧を有するようにセットされる。他の実施形態において、電力供給部１３４は、プログラム可能な電流源として作動する。ノード１４１に供給された電流の大きさは、制御論理１２９によってセットされる。線１４２上のマルチ・ビット電圧セット値の値に基づいて、ノード１４１上に供給された電流は、多くの選択可能な電流の選択された一つの大きさを有するようにセットされる。電力供給部１３４が、ノード１４１に電力を供給するためのプログラム可能な電流源として作動するか、またはプログラム可能な電圧源として作動するかに関わらず、電力供給部１３４は、常に、レギュレートされたアナログ供給電圧ＡＶＤＤを出力するように動作する。このアナログ供給電圧ＡＶＤＤは、回路のほかの部分に電力を供給するように用いられる。
【００２１】
この記載された動作例では、電力供給部１３４は、プログラム可能な電圧源としてノード１４１を駆動する。外部バッテリ（図示せず）から受信されたＶＢＡＴＴは、おおよそ２．６ボルトである。アナログ供給電圧ＡＶＤＤは、２．６ボルトである。プロセッサ実行可能な命令１１４のセットの実行は、プロセッサ１１０に、タッチ・スクリーン・コントロール情報（ＴＳＣＩ）を、バス１６を介して、そして制御論理１２９内の抵抗１４３内に伝送させる。ＴＳＣＩは、多数の種々の選択可能な電圧のどの一つが電力供給部１３４によってノード１４１上に供給されるかを決定する。最初に、プロセッサ１１０は、タッチ・スクリーン１０１上でディスプレイされたユーザー選択可能なアイコンが比較的大きいという理由で、必要なタッチ・スクリーン検出分解能が、比較的緩いということを決定する。従って、ＴＳＣＩ値は、第１の比較的低いレギュレートされた電圧をノード１４１上に供給する。この電圧は、ＡＤＣ１２４に電力供給するために用いられる２．６ボルトのアナログ供給電圧ＡＶＤＤよりも低い。本例において、第１の比較的低いレギュレートされた電圧は、１．３ボルトである。しかしながら、ＡＤＣ１２４は、実質的にＡＶＤＤの全範囲で０〜２．６ボルトの出力計測を生成することができる変換可能な入力電圧範囲を有する。ここで用いられた専門用語の「生成することができる」は、図１０のＡＤＣ１２４のＡＤＣ部の入力リードＩＮ上に０ボルト〜２．６ボルトの範囲内のあらゆる電圧が与えられる場合、ＡＤＣ部は、その入力電圧を対応するマルチ・ビット・デジタル出力値に変換するだろうということを意味する。タッチ・スクリーン・コントロール回路１１３の残りの部分（remainder）は、構成されている、または使用されるのであれば、専門用語の「生成することができる」は、０ボルト〜２．６ボルトの範囲内のあらゆる電圧が、ＡＤＣ入力リードＩＮ上に与えられることができるということを必ずしも意味しない。
【００２２】
第１の期間の間、制御回路１２３は、スイッチ１３０及び１３１の第１のペアを閉じさせる。スイッチ１３２及び１３３の第２のペアが開かれる。従って、ノード１４１上の１．３ボルト電圧は、スイッチ１３０及び端子１２５を介して、タッチ・スクリーン１０１の端子１３６に結合される。同様に、接地電位は、スイッチ１３１及び端子１２６を通って、タッチ・スクリーン１０１の端子１３７上に結合される。アナログ・マルチプレクサ１３５は、端子１２７上の電圧がＡＤＣ１２４の高入力インピーダンス入力上に結合されるように、制御される。スイッチ１３３は開かれている。タッチ・スクリーンが押されている場合、接触の点１４０における電圧は、端子１３８、端子１２７及びマルチプレクサ１３５を通って、ＡＤＣ１２４に結合される。ＡＤＣ１２４は、電圧を、対応する第１のマルチ・ビット・デジタル値に変換する。この第１の値は、例えば、接触の点の場所を示すＸ座標値として考えられ得る。その値は、抵抗１４４内にロードされ、バス１１６を介してプロセッサ１１０によって読み出される。ＹＰ＿ＵＬ及びＸＭ＿ＬＲの両端に加えられる電圧の大きさは、１．３ボルトであるので、ＡＤＣ１２４によって検出されることができる最大の電圧は１．３ボルトである。ＡＤＣ１２４は、２．６ボルトのＡＶＤＤによって電力供給されるにもかかわらず、ＡＤＣステップの上位側（upper）半分の全ては用いられない。例えば、ＡＤＣ１２４が１２ビットの分解能を有するようにセットされる場合、２０４８〜４０９５の上位側半分のＡＤＣステップ値は、用いられない。ＡＤＣ１２４は、０〜２０４７の範囲における計測値のみ出力することができる。
【００２３】
次に、第２の期間の間、制御回路１２３は、スイッチ１３２及び１３３の第２のペアを閉じさせる。スイッチ１３０及び１３１の第１のペアは開かれる。従って、ノード１４１上の１．３ボルトの電圧は、スイッチ１３２及び端子１２７を介してタッチ・スクリーン１０１の端子１３８に結合される。同様に、接地電位は、スイッチ１３３及び端子１２８を通ってタッチ・スクリーン１０１の端子１３９上に結合される。アナログ・マルチプレクサ１３５は、端子１２５上の電圧がＡＤＣ１２４の高入力インピーダンス入力上に結合されるように、制御される。スイッチ１３１は開かれる。タッチ・スクリーンが押されている場合、接触の点１４０での電圧は、端子１３６、端子１２５、及びマルチプレクサ１３５を通ってＡＤＣ１２４に結合される。ＡＤＣ１２４は、その電圧を、対応する第２のマルチ・ビット・デジタル値に変換する。この第２の値は、例えば、接触の点の場所を示すＹ座標値として考えられ得る。その値は、抵抗１４４内にロードされ、バスを介してプロセッサ１１０によって読み出される。Ｘ座標及びＹ座標値は、接触の点１４０の場所を示す。最大の２．６ボルトのＡＶＤＤ電圧をタッチ・スクリーン１０１に供給することなく、実質的により小さい１．３ボルトの電圧が、有利に、タッチ・スクリーン１０１に供給される。計測の間、タッチ・スクリーン１０１を通って駆動される電流の対応する量は、従って、実質的に減少され、それによって、低いタッチ・スクリーン分解能の計測の間、回路全体の電力消費を減少する。
【００２４】
次に、この記載された動作例に従って、プロセッサ１１０は、タッチ・スクリーン１０１上にディスプレイされたユーザー選択可能なアイコンが比較的小さいため、またはユーザーが、タッチ・スクリーン上に書くために先の細いペンを用いるため、要求されたタッチ・スクリーン検出分解能が比較的高いということを決定する。これは、例えば、手書き認識が生じる状況であり得る。従って、プロセッサ１１０は、第２の比較的大きいレギュレートされた電圧をノード１４１上に提供させるＴＳＣＩ値を、バス１１６を介して抵抗１４３内に書きこむ。本例において、電圧は２．６ボルトである。ＡＤＣ１２４は、２．６ボルトのＡＶＤＤから電力供給を受け続け、０〜２．６ボルトの同様の変換可能入力電圧範囲を有する。
【００２５】
第１の期間の間、制御回路１２３は、スイッチ１３０及び１３１の第１のペアを閉じさせる。スイッチ１３２及び１３３の第２のペアは開かれている。従って、ノード１４１上の２．６ボルトの電圧は、スイッチ１３０及び端子１２５を介してタッチ・スクリーン１０１の端子１３６に結合される。同様に、接地電位は、スイッチ１３１及び端子１２６を通って、タッチ・スクリーン１０１の端子１３７上に結合される。アナログ・マルチプレクサ１３５は、端子１２７上の電圧がＡＤＣ１２４の高入力インピーダンス入力上に結合されるように、制御される。スイッチ１３３は開かれている。タッチ・スクリーンが押されている場合、接触の点１４０で電圧は、端子１３８、端子１２７及びマルチプレクサ１３５を通って、ＡＤＣ１２４に結合される。ＡＤＣ１２４は、電圧を対応する第１のマルチ・ビット・デジタル値に変換する。第１の値は、例えば、接触の点の場所を示すＸ座標値とみなされ得る。この値は、抵抗１４４内にロードされ、バス１１６を介してプロセッサ１１０によって読み出される。ＹＰ＿ＵＬ及びＸＭ＿ＬＲの両端に加えられる電圧の大きさは、ＡＤＣ１２４の最大の２．６ボルトのＡＤＣ変換可能な入力電圧範囲が使用できるように、２．６ボルトである。例えば、ＡＤＣ１２４が１２ビット分解能を有するようにセットされた場合、０〜４０９５のＡＤＣステップ値の全ては用いられる。
【００２６】
次に、第２の期間で、制御回路１２３は、スイッチ１３２及び１３３の第２のペアを閉じさせる。スイッチ１３０及び１３１の第１のペアは開かれる。ノード１４１上の２．６ボルトの電圧は、従って、スイッチ１３２及び端子１２７を介してタッチ・スクリーン１０１の端子１３８に結合される。同様に、接地電位は、スイッチ１３３及び端子１２８を通って、タッチ・スクリーン１０１の端子１３９上に結合される。アナログ・マルチプレクサ１３５は、端子１２５上の電圧がＡＤＣ１２４の高入力インピーダンス入力上に結合されるように制御される。スイッチ１３１は開かれる。タッチ・スクリーンがタッチされている場合、接触の点１４０での電圧は、端子１３６、端子１２５、及びマルチプレクサ１３５を通って、ＡＤＣ１２４に結合される。ＡＤＣ１２４は、電圧を対応する第２のマルチ・ビット・デジタル値に変換する。この第２の値は、例えば、接触の点の場所を示すＹ座標値とみなされ得る。その値は、抵抗１４４内にロードされ、バス１１６を介してプロセッサ１１０によって読み出される。Ｘ座標及びＹ座標の値は、接触の点１４０の場所を示している。タッチ・スクリーン１０１は、要求された高タッチ・スクリーン計測分解能をサポートするために、最大の２．６ボルトのＡＶＤＤ電圧が供給される。上述した低タッチ・スクリーン分解能モードよりも多くの電力が、消費されるが、高タッチ・スクリーン分解能計測が実行できる。
【００２７】
図１１は、図１０のタッチ・スクリーン・コントロール回路１１３の動作の種々の例を示すテーブルである。プロセッサ１１０は、バス１１６を介して抵抗１４３内に書き込むことによって、タッチ・スクリーン電流を制御する。プロセッサ１１０は、バス１１６を介して抵抗１４５内に書き込むことによって、ＡＤＣ分解能を制御する。
【００２８】
図１２Ａは、複数の種々のレギュレートされた電圧の選択可能な一つによって、ノード１４１を駆動するために、制御論理１２９が、電力供給部１３４を制御する実施形態における電力供給部１３４の簡略化したダイアグラムである。
【００２９】
図１２Ｂは、複数の種々の固定された電流の選択可能な一つを、ノード１４１上に供給するために、制御論理１２９が、電力供給部１３４を制御する実施形態における電力供給部１３４の簡略化したダイアグラムである。
【００３０】
図１３は、一動作例に従った新規の方法２００の簡略化したフローチャートである。第１のステップ（ステップ２０１）において、第１の電流は、第１の電圧が第１及び第２の端子間に与えられるように、タッチ・スクリーンを通って、第１の端子から第２の端子まで駆動される。一例において、第１の端子は、端子１２５であり、第２の端子は端子１２６であり、第１の電圧は、２．６ボルトである。
【００３１】
次（ステップ２０２）に、ＡＤＣは、第３の端子上の第２の電圧を第１のデジタル値に変換する。一例において、第３の端子は端子１２７である。ステップ２０１及び２０２は、比較的高い電力で行われる第１のタッチ・スクリーンの接触の点の計測（Ｘ座標計測）を行う。図１３のフローチャート内のステップには図示されていないが、同様に、Ｙ座標計測は、比較的高い電力で行われる。
【００３２】
次（ステップ２０３）に、タッチ・スクリーン・コントロール情報（ＴＳＣＩ）が受信される。このＴＳＣＩは、より少ないタッチ・スクリーン検出分解能が要求されたことを表す。一例において、このＴＳＣＩは、プロセッサ１１０によって抵抗１４３内に書き込まれる。
【００３３】
次（ステップ２０４）に、第２の電流は、第３の電圧が第１及び第２の端子間に与えられるように、タッチ・スクリーンを通って、第１の端子から第２の端子まで駆動される。一例において、第１の端子は端子１２５であり、第２の端子は、端子１２６であり、第３の電圧は、１．３ボルトである。第３の電圧（例えば１．３ボルト）は、実質的に第１の電圧（例えば２．６ボルト）よりも小さい。
【００３４】
次（ステップ２０５）に、ＡＤＣは、第３の端子上の第４の電圧を、第２のデジタル値に変換する。一例において、第３の端子は端子１２７である。ステップ２０４及び２０５は、比較的低い電力で行われる第２のタッチ・スクリーンの接触の点の計測（Ｘ座標計測）を行う。図１３のフローチャート内のステップには図示されていないが、同様に、Ｙ座標計測は、比較的低い電力で行われる。ＡＤＣは、実質的に第３の電圧（例えば、１．３ボルト）よりも大きい変換可能な入力電圧範囲（例えば、０〜２．６ボルト）を有する。ステップ２０４及び２０５の低電力計測は、低タッチ・スクリーン検出分解能を有する。しかし、この低タッチ・スクリーン検出分解能は、特定の状況下で十分であり、これらの状況において、電力消費は、接触の点の計測が実行されるための最も低い条件を満たした電力消費設定を用いることによって減少される。第１及び第２のタッチ・スクリーン計測は、キャリブレショーンプロセスの間に行われた計測だけでなく、モバイル通信デバイス１００にユーザー入力が受信されるための通常のタッチ・スクリーン動作の間に行われるタッチ・スクリーン計測でもある。
【００３５】
一つまたはそれ以上の例示的な実施形態において、議論された機能は、ハードウェア、ソフトウェア、ファームウェア、またはそれらのいくつかの組み合わせで実装され得る。ソフトウェアで実装された場合、機能は、コンピュータ読み取り可能な媒体（時々、プロセッサ読み取り可能な媒体として呼ばれる）に、記憶され、または、一つまたはそれ以上の命令またはコードとして送信され得る。コンピュータ読み取り可能な媒体は、ある箇所から他の場所へのコンピュータ・プログラムの転送を促進する任意のメディアを含んでいるコンピュータ記憶メディア及び通信メディアを含む。記憶媒体は、コンピュータによってアクセスされることができる任意の入手可能な媒体であり得る。例のため、そして例に限らず、そのようなコンピュータ読み取り可能な媒体は、ＲＡＭ、ＲＯＭ、ＥＥＰＲＯＭ、ＣＤ−ＲＯＭまたは他の光学ディスク記憶、磁気ディスク記憶、または他の磁気記憶デバイス、または、命令またはデータ構造の形態において、望ましいプログラム・コードを運び、記憶することができ、コンピュータによってアクセスされることができる任意の他の媒体を備えることができる。また、任意のつながりは、適切にコンピュータ読み取りメディアと称される。例えば、ソフトウェアが、ウェブサイト、サーバー、または、同軸ケーブル、光ファイバ・ケーブル、ツイスト・ペア、デジタル加入者線（ＤＳＬ）、または赤外線、無線、及びマイクロ波のようなワイヤレス技術を用いる他の遠隔ソース、から送信される場合、同軸ケーブル、光ファイバ・ケーブル、ツイスト・ペア、ＤＳＬ、または赤外線、無線、及びマイクロ波のようなワイヤレス技術は、媒体の定義に含まれる。本明細書に用いたように、ディスク（disk）及びディスク（disc）は、コンパクトディスク（ＣＤ）、レーザーディスク（登録商標）、光学ディスク、デジタル多用途ディスク（ＤＶＤ）、フロッピー（登録商標）ディスク、及びブルーレイ（登録商標）ディスク、を含み、ディスク（disk）は大抵磁気的にデータを再生し、ディスク（disc）は光学的またはレーザーでデータを再生する。上の組み合わせは、また、コンピュータ読み取り可能なメディアの範囲の中に含まれるべきである。
【００３６】
教示の目的のため、いくらかの明白な実施形態が上に記載されているとはいえ、この特許文章の教示は、一般的な適用を有し、上に記載された特定の実施形態に限定されない。他の実施形態において、制御可能な利得を有する増幅器は、マルチプレクサ１３５及びＡＤＣ１２４の間に配置される。比較的小さい電圧／電流は、タッチ・スクリーンを駆動し、しかし、計測された比較的低い電圧出力は、ＡＤＣ１２４に供給される信号に先立って、制御可能な利得増幅器によって、増幅される。増幅器の利得は、制御論理１２９内に書き込まれたＴＳＣＩ値によって決定される。上で示した実施形態において、ＡＤＣがＡＶＤＤによって、常に電力供給されているとはいえ、他の実施形態で、ＡＤＣに電力供給する供給電圧は、タッチ・スクリーンに電力供給する電圧と共に減少される。いくつかの例において、プロセッサ１１０は、バッテリ電力が望ましくない低さであることを決定し、バッテリ電力消費を減少させ、バッテリ寿命を延ばすために、プロセッサ１１０は、それに応じて、タッチ・スクリーン検出分解能を減少する。減少されたタッチ・スクリーン分解能を用いることは、例えば、手書き認識のためのような、特定の方法で用いることからタッチ・スクリーンを抑制し得る。しかし、減少されたタッチ・スクリーン検出分解能を用いることが、バッテリ寿命を延ばし、モバイル通信デバイスが、バッテリが完全に放電する前の長い期間について、他のより多くの本質的なタスクを実行することを許可する場合、それは受け入れることができる。その結果、記載された特定の実施形態の種々の特徴の種々の変形例、適応、及び組み合わせは、下に示された特許請求の範囲から逸脱せず実行されることができる。
以下に、本願出願時の特許請求の範囲に記載された発明を付記する。
［１］端子の第１のペアと、
端子の第２のペアと、
第１の期間の間、複数の選択可能な電圧の一つを、端子の前記第１のペアの第１の端子上に供給し、端子の前記第１のペアの第２の端子を接地電位に結合し、第２の期間の間、前記複数の選択可能な電圧の一つを、端子の前記第２のペアの第１の端子上に供給し、端子の前記第２のペアの第２の端子を接地電位に結合する制御回路と、
前記第１の期間の間、端子の前記第２のペアの前記端子の一つ上に与えられる第１の電圧を計測し、それから第１の計測値を生成し、前記第２の期間の間、端子の前記第１のペアの前記端子の一つ上に与えられる第２の電圧を計測し、それから第２の計測値を生成するアナログ／デジタル変換器（ＡＤＣ）と、
を備える集積回路。
［２］前記集積回路は、電流が、前記第１の期間の間、前記制御回路から、前記第１のペアの第１の端子から前記集積回路の外へ、前記タッチ・スクリーンを通って、前記第１のペアの前記第２の端子を介して前記集積回路内に戻って流れるように抵抗タッチ・スクリーンに結合されるために適合される［１］の集積回路。
［３］前記制御回路は、タッチ・スクリーン・コントロール情報（ＴＳＣＩ）を記憶し、複数の選択可能な電圧の一つは、前記第１の期間及び前記第２の期間の中に供給され、前記制御回路に記憶された前記ＴＳＣＩの値によって決定される［１］の集積回路。
［４］前記第１及び第２の計測値は、キャリブレーションの目的のために用いられない［１］の集積回路。
［５］前記ＡＤＣは、前記ＡＤＣの入力上の電圧に対応する出力計測を生成することができる変換可能な入力電圧範囲を有し、前記選択可能な電圧の一つ及び接地電位間の電圧の違いは、実質的に、前記変換可能な入力電圧範囲よりも小さい［１］の集積回路。
［６］前記ＡＤＣは、前記選択可能な電圧の一つよりも実質的に大きい電圧から電力供給される［１］の集積回路。
［７］前記制御回路は、タッチ・スクリーン・コントロール情報（ＴＳＣＩ）を記憶し、前記ＴＳＣＩが、第１の値を有している場合、第１及び第２の期間中、前記制御回路は、第１の量の電流を、端子の前記第１のペアの前記第１の端子から供給し、それに対し、前記ＴＳＣＩが第２の値を有している場合、第１及び第２の期間中、前記制御回路は、第２の量の電流を、端子の前記第１のペアの前記第１の端子から供給する［１］の集積回路。
［８］前記制御回路は、前記複数の選択可能な電圧の一つを出力するプログラム可能な電圧源を備える［１］の集積回路。
［９］アナログ／デジタル変換器（ＡＤＣ）と、
制御回路と、
を備え、
前記ＡＤＣは、期間の間、タッチ・スクリーンから受信した電圧を計測し、前記ＡＤＣの入力上の電圧に対応する出力計測を生成することができる変換可能な入力電圧範囲を有し、
前記制御回路は、前記期間の間、前記タッチ・スクリーンに複数の選択可能な電圧の一つを供給し、前記ＡＤＣによって受信された前記電圧は、前記制御回路によって前記タッチ・スクリーンに供給された電流に起因し、前記選択可能な電圧の一つは、前記変換可能な入力電圧範囲よりも実質的に小さい
タッチ・スクリーンを制御するためのシステム。
［１０］前記選択可能な電圧の第２の電圧は、前記変換可能な入力電圧範囲と実質的に同じ大きさである［９］のシステム。
［１１］期間の間、タッチ・スクリーンから受信された信号の大きさを計測するアナログ／デジタル変換器（ＡＤＣ）と、
制御回路と、
を備え、
前記制御回路は、前記期間の間、異なる大きさの複数の選択可能な電流の一つを、前記タッチ・スクリーンに供給し、前記ＡＤＣによって受信された信号は、前記期間の間、前記制御回路によって前記タッチ・スクリーンに供給される前記一つの電流に起因する
タッチ・スクリーンを制御するためのシステム。
［１２］前記ＡＤＣは、前記ＡＤＣの入力上の電圧に対応する出力計測を生成することができる変換可能な入力電圧範囲を有し、前記タッチ・スクリーンは、第１の端子及び第２の端子を有し、前記選択された電流の一つは、電圧が前記第１及び第２の端子間に与えられるように、前記タッチ・スクリーンの前記第１の端子内、及び前記タッチ・スクリーンの前記第２の端子外に流れ、前記第１及び第２の端子間に与えられる電圧は、実質的に、前記ＡＤＣの前記変換可能な入力電圧範囲よりも小さい［１１］のシステム。
［１３］（ａ）第１の電流を、第１の電圧が第１及び第２の端子間に与えられるように、タッチ・スクリーンの前記第１の端子から、前記タッチ・スクリーンを通って、前記タッチ・スクリーンの前記第２の端子の外へ駆動することと、
（ｂ）前記タッチ・スクリーンの第３の端子上に、（ａ）の間、与えられる前記第３の端子上の第２の電圧を第１のデジタル値に変換することと、
（ｃ）第２の電流を、実質的に前記第１の電圧よりも小さい第３の電圧が第１及び第２の端子間に与えられるように、前記タッチ・スクリーンの前記第１の端子から、前記タッチ・スクリーンを通って、前記タッチ・スクリーンの前記第２の端子の外へ駆動することと、
（ｄ）前記タッチ・スクリーンの前記第３の端子上に、（ｃ）の間、与えられる前記第３の端子上の第４の電圧を、第２のデジタル値に変換することと、
を備える方法。
［１４］（ｂ）及び（ｃ）の前記変換することは、アナログ／デジタル変換器（ＡＤＣ）によって実行され、前記ＡＤＣは、前記ＡＤＣに供給される電圧に対応する出力計測を生成することができる変換可能な入力電圧範囲を有し、前記変換可能な入力電圧範囲は、実質的に前記第３の電圧よりも大きい［１３］の方法。
［１５］（ｅ）前記第１の電圧を決定する第１のマルチ・ビット・デジタル値を受信することと、
（ｆ）前記第３の電圧を決定する第２のマルチ・ビット・デジタル値を受信することと、
を更に備え、
（ｅ）は、（ａ）よりも前に生じ、
（ｆ）は、（ｃ）よりも前に生じる
［１３］の方法。
［１６］（ａ）における前記第１の電流は、電流源から供給された固定電流であり、前記第１の電圧は、前記第１の電流が、前記タッチ・スクリーンを通って、前記第１の端子から前記第２の端子まで流れた時に生じる電圧である［１３］の方法。
［１７］（ａ）における前記第１の電圧は、接地電位が前記タッチ・スクリーンの前記第２の端子上に与えられる時、電圧レギュレータから前記タッチ・スクリーンの前記第１の端子上に供給された固定電圧であり、前記第１の電流は、前記第１の電圧が前記タッチ・スクリーンの前記第１の端子上に与えられる時、及び接地電位が前記タッチ・スクリーンの前記第２の端子上である時に生じる電流である［１３］の方法。
［１８］（ａ）選択可能な電流を、タッチ・スクリーンの第１の端子から、タッチ・スクリーンを通って、前記タッチ・スクリーンの第２の端子の外へ駆動するために適合された制御回路を提供することと、
（ｂ）前記選択可能な電流が流れた時に、前記タッチ・スクリーンの第３の端子上に与えられる第２の電圧を計測するために適合されたアナログ／デジタル変換器（ＡＤＣ）を提供することと、
を備え、
第１の電圧は、前記選択可能な電流が流れた時に、前記第１及び第２の端子間に与えられ、
前記ＡＤＣは、前記ＡＤＣの入力上の電圧に対応する出力計測を生成することができる変換可能な入力電圧範囲を有し、前記変換可能な入力電圧範囲は、実質的に前記第１の電圧よりも大きい
方法。
［１９］前記選択可能な電流は、異なる大きさの複数の電流の一つである［１８］の方法。
［２０］端子の第１のペアと、
端子の第２のペアと、
第１の計測期間の間、前記第１のペアの第１の端子からタッチ・スクリーンを通り、前記第１のペアの第２の端子に戻る第１の選択可能な電流を駆動する手段、及び前記第１の選択可能な電流の流れの間、前記第２のペアの第１の端子上に与えられる第１の電圧を検出する手段と、
を備え、
前記手段は、また、第２の計測期間の間、第２の選択可能な電流を、前記第１のペアの第１の端子から前記タッチ・スクリーンを通り、前記第１のペアの第２の端子に戻る第２の選択可能な電流を駆動する手段、及び前記第２の選択可能な電流の流れの間、前記第２のペアの前記第１の端子上に与えられる第２の電圧を計測する手段であり、
前記第２の選択可能な電流は、実質的に前記第１の選択可能な電流よりも小さい
回路。
［２１］前記手段は、また、マルチ・ビット・デジタル値を受信する手段、及び前記第２のペアの前記第１の端子上に与えられる電圧の計測の間、前記第１のペアの前記第１の端子の外に駆動される電流の大きさをセットするために、前記マルチ・ビット・デジタル値を用いる手段である［２０］の回路。
［２２］前記第１の選択可能な電流は、前記第１のペアの前記第１の端子上に固定された電圧を供給することによって、駆動され、前記第１の選択可能な電流は、前記第１のペアの前記第２の端子が接地された時、前記固定電圧が前記第１のペアの前記第１の端子上に供給された時に生じる電流である［２０］の回路。
［２３］前記選択可能な電流は、前記手段によって供給され、前記手段によって、前記第１のペアの前記第１の端子を通って出力される固定電流である［２０］の回路。
［２４］タッチ・スクリーンの接触の点の場所の計測の間、タッチ・スクリーンを通って駆動されるために、駆動電流の大きさを変えることを実行する
コンピュータ読み取り可能な媒体上に記憶された命令のセット。
［２５］携帯電話内の半導体メモリ内に記憶され、前記携帯電話のプロセッサによる前記命令の実行は、制御情報を前記携帯電話内のバスを介して制御回路と通信させ、前記制御回路は、前記駆動電流の前記大きさを制御する［２４］の命令のセット。
［２６］前記駆動電流の前記大きさは、第１のタッチ・スクリーンの接触の点の場所の計測が第１の駆動電流を用いて実行されるように、第２のタッチ・スクリーンの接触の点の場所の計測が第２の駆動電流を用いて実行されるように、変えられ、前記第１の駆動電流は、実質的に前記第２の駆動電流よりも大きく、前記バスを介して通信される前記制御情報は、前記制御回路を前記第１の駆動電流から前記第２の駆動電流へと駆動電流の前記大きさを変えさせる［２５］の命令のセット。
【図１】
0005536032.tif 000002
【図２】
0005536032.tif 000003
【図３】
0005536032.tif 000004
【図４】
0005536032.tif 000005
【図５】
0005536032.tif 000006
【図６】
0005536032.tif 000007
【図７】
0005536032.tif 000008
【図８】
0005536032.tif 000009
【図９】
0005536032.tif 000010
【図１０】
0005536032.tif 000011
【図１１】
0005536032.tif 000012
【図１２Ａ】
0005536032.tif 000013
【図１２Ｂ】
0005536032.tif 000014
【図１３】
0005536032.tif 000015